(57)【特許請求の範囲】
【請求項１】
折畳み可能な材質からなり、膨脹時に附缸器２の内部体積と対応する膨脹部２０、及び弾性を有しながら前記膨脹部２０の縁部に構成される締結部４０を含み、
前記膨脹部２０が前記附缸器２の内部に配置されながら前記締結部４０が前記附缸器２の下端部に弾性圧迫締結されて、前記膨脹部２０によって前記附缸器２内部の被施術者の皮膚１が前記膨脹部２０外側の空気と遮断されることを特徴とする使い捨て滅菌附缸装置。
【請求項２】
前記附缸器２の下端部に対する前記締結部４０の弾性圧迫締結は、
前記締結部４０及び膨脹部２０が前記附缸器２の内側に配置された後、前記締結部４０が前記附缸器２の下端部を経て外側に伸ばされて前記附缸器２の下端部の外面を内側に圧迫することで成り立つことを特徴とする、請求項１に記載の使い捨て滅菌附缸装置。
【請求項３】
前記膨脹部２０と締結部４０は一体型としてビニール材質であることを特徴とする請求項１に記載の使い捨て滅菌附缸装置。
【請求項４】
前記被施術者の皮膚１の傷から出る淤血を吸収するように、前記膨脹部２０において前記被施術者の皮膚１と向い合う方に付着したガーゼ６０をさらに含むことを特徴とする、請求項１乃至請求項３のいずれか一項に記載の使い捨て滅菌附缸装置。
【発明の詳細な説明】
【技術分野】
【０００１】
本発明は、使い捨て滅菌附缸装置に関するもので、より詳細には吸入器との間接接触によって誘発され得る細菌感染を防止して保管時に求められる体積を減らすことができる使い捨て滅菌附缸装置に関するものである。
【背景技術】
【０００２】
既存の使い捨て附缸器や附缸キャップの場合、陰圧を起こすために上端に排気ホールが形成されるが、それによって必然的に吸入器と前記附缸器内部の間には小規模の空気の流れが発生するようになる。
【０００３】
一般的に陰圧を誘発する吸入器は、使い捨てではなく再使用可能に使用されるので、細菌繁殖の危険性が高い。
【０００４】
そのため、吸入器と被施術者の皮膚との間が遮断されない場合、被施術者の皮膚は細菌感染の憂慮があり、特に皮膚に損傷を起こす湿式附缸療法の手術時に衛生上その問題がさらに大きくなる。
【０００５】
一方、前記使い捨て附缸器や附缸キャップは、陰圧に耐えるために堅いプラスチック材質で構成されているので、保管やその移動において多くの空間を占めるようになって製造単価も高いという限界点があり、ひいては廃棄時に占める空間も大きいという短所を有する。
【０００６】
また、使い捨て附缸器の場合、個別包装になっておらず保管における完璧な衛生管理が難しい。
【発明の概要】
【発明が解決しようとする課題】
【０００７】
本発明は、前記のような問題点を解決するために創案されたもので、吸入器との間接接触によって誘発され得る細菌感染を防止して、個別滅菌包装を通じて完璧な衛生管理ができて保管時に求められる体積を減らすことができる使い捨て滅菌附缸装置を提供することにその目的がある。
【課題を解決するための手段】
【０００８】
前記の目的を達成するために、本発明の好ましい実施例による使い捨て滅菌附缸装置は、折畳み可能な材質からなり、膨脹時に附缸器２の内部体積と対応する膨脹部２０、及び弾性を有しながら前記膨脹部２０の縁部に構成される締結部４０を含み、前記膨脹部２０が前記附缸器２の内部に配置されながら前記締結部４０が前記附缸器２の下端部に弾性圧迫によって締結されて、前記膨脹部２０によって前記附缸器２内部の被施術者の皮膚１が前記膨脹部２０外側の空気と遮断される。
【０００９】
ここで、前記附缸器２の下端部に対する前記締結部４０の弾性圧迫締結は、前記締結部４０及び膨脹部２０が前記附缸器２内側に配置された後、前記締結部４０が前記附缸器２の下端部を経て外側に伸ばされて前記附缸器２の下端部の外面を内側に圧迫することによって成り立つ。
【００１０】
また、前記膨脹部２０と締結部４０は、一体型にしてビニール材質であることが好ましい。
【００１１】
一方、本発明は前記被施術者の皮膚１の傷から出る淤血を吸収するために、前記膨脹部２０において前記被施術者の皮膚１と向い合う方に付着したガーゼ６０をさらに含むことができる。
【発明の効果】
【００１２】
本発明による使い捨て滅菌附缸装置は、附缸療法の手術時、膨脹部によって附缸器内部の被施術者の皮膚が膨脹部外側の空気と遮断されることで、被施術者の皮膚が多数回使用により細菌繁殖が容易な吸入器との空気の交流を遮断して、細菌による感染を防止することができる。
【００１３】
同時に、膨脹部に付着したガーゼが被施術者の皮膚の傷から出る淤血、すなわち血液を吸収して衛生的に処理することができる。
【００１４】
また、その外形的に要求される体積が従来の使い捨て附缸器や附缸キャップに比べて相対的に顕著に小さいので、保管や運搬時の効率的な遂行を可能にする。
【図面の簡単な説明】
【００１５】
【図１】図１は、本発明の好ましい一実施例による使い捨て滅菌附缸装置を包装した様子を示した図である。
【図２】図２は、図１の使い捨て滅菌附缸装置を示した図である。
【図３】図３は、図１の使い捨て滅菌附缸装置が附缸器に設置された様子を示した図である。
【図４】図４は、図１の使い捨て滅菌附缸装置の膨脹部が吸入器によって附缸器内で膨脹した様子を示した図である。
【図５】図５は、本発明の好ましい異なる一実施例による使い捨て滅菌附缸装置を示した図である。
【図６】図６は、図５の使い捨て滅菌附缸装置の膨脹部が吸入器によって附缸器内で膨脹した様子を示した図である。
【発明を実施するための形態】
【００１６】
図１は、本発明の好ましい事実施例による使い捨て滅菌附缸装置を包装した様子を示した図で、図２は図１の使い捨て滅菌附缸装置を示した図である。
【００１７】
図面を参照すると、本発明は折畳み可能な材質の膨脹部２０と、前記膨脹部２０の縁部に構成される締結部４０を含む。
【００１８】
前記膨脹部２０は、折畳みが可能な材質、すなわち堅くて前もって固定された外形を持たず、折曲がったり、たたまれて互いに重なり得る材質からなる。
【００１９】
もちろん、膨脹部２０は柔軟な材質であり得るし、柔軟な材質は前記折畳みのように膨脹部２０の体積を減らすことができる形状に容易に変形され得、そのような変形を維持することができる。
【００２０】
また、前記締結部４０は、弾性を有しながら膨脹部２０の縁部に構成される。
【００２１】
すなわち、膨脹部２０の縁部に沿って構成され、伸びてまた元の状態に戻り得る弾性力を有する。
【００２２】
このように構成される膨脹部２０と締結部４０は、一体型でビニール材質であることが好ましいが、もちろん膨脹部２０と締結部４０は本発明の例によって限定されず前記のような特性を有する材質ならどのような素材も活用され得る。
【００２３】
それによって、本発明は占める空間がほとんどない程度に体積が小さいことによって、保管や運搬時に効率的な遂行が可能になる。
【００２４】
さらに、本発明を用いることによって、手頃な費用でも衛生的かつ簡便に附缸療法を行うことができる。
【００２５】
一方、図３は図１の使い捨て滅菌附缸装置が附缸器２に設置された様子を示した図である。
【００２６】
図を参照すると、前記締結部４０が手術時に附缸器２とともに活用される場合、締結部４０と膨脹部２０が附缸器２の内部に配置されながら締結部４０が附缸器２の下端部に弾性圧迫締結されて締結される。
【００２７】
すなわち、締結部４０は附缸器２の下端部より小さな直径を有し、それによって附缸器２内部に配置された締結部４０を附缸器２の下端部を経て外側に伸ばしながら附缸器２下端部の外面を内側に圧迫する。
【００２８】
手術者が締結部４０を附缸器２の外側まで伸ばした後、一定程度上側に上げた状態で締結部４０を放置すると、締結部４０が附缸器２下端部の外面にくっつきながら強い力で附缸器２下端部を内側に押しながら固定された状態を維持するようになる。
【００２９】
前記のような状態では、膨脹部２０によって附缸器２内部の被施術者の皮膚１が膨脹部２０外側の空気と遮断される。
【００３０】
前記のように構成される本発明の好ましい一実施例による使い捨て滅菌附缸装置を附缸器２とともに活用することを図４を参照して説明する。
【００３１】
まず、附缸器２内に膨脹部２０と締結部４０からなる使い捨て滅菌附缸装置を位置させた後、膨脹部２０の縁部の締結部４０を伸ばして附缸器２の下端部外面に沿って弾性圧迫させて使い捨て滅菌附缸装置を附缸器２に対して固定させる。
【００３２】
次に、使い捨て滅菌附缸装置が締結された附缸器２を被施術者の手術しようとする治療部位の皮膚１上に載せて、吸入器３を用いて附缸器２上端に形成された排気ホール（図３の２ａ）を通じて附缸器２内の空気圧を下げて内部に陰圧を形成させる。
【００３３】
このような過程で、附缸器２内の陰圧によって膨脹部２０は上側に膨脹することにより、前記陰圧が附缸器２内で均一な状態を作る。
【００３４】
ここで、もし膨脹部２０が膨脹しなかったら、附缸器２内の陰圧は膨脹部２０の外側だけが大きく形成されて膨脹部２０内部は陰圧がほとんど形成されないので、膨脹部２０内部に位置した被施術者の皮膚１は、附缸療法の治療が行なわれなくなる。
【００３５】
結果的に、本発明によって附缸療法の手術時、膨脹部２０によって附缸器２内部の被施術者の皮膚１が、膨脹部２０外側の空気と遮断されるようになる。
【００３６】
それによって、被施術者の皮膚１は、多回使用によって細菌繁殖が容易な吸入器３との空気の交流が遮断されることで、排気ホール２ａを通じた吸入器３の細菌による感染が防止される。
【００３７】
同時に、附缸器２に存在する細菌からの感染も防止することができることはもちろん、完全滅菌包装を通じてより衛生的な管理が可能であるという長所を有する。
【００３８】
さらに、皮膚１に損傷を起こす湿式附缸療法手術時のように衛生的な措置がより一層必要な場合には、本発明は衛生上の高い効果を有する。
【００３９】
すなわち、本発明は湿式附缸療法手術時に出血のために誘発された傷部位が前記細菌によって感染されることを効果的に防止することができる。
【００４０】
図５は、本発明の好ましい異なる一実施例による使い捨て滅菌附缸装置を示した図で、図６は図５の使い捨て滅菌附缸装置の膨脹部が吸入器によって附缸器内で膨脹した様子を示した図である。
【００４１】
図を参照すると、前記使い捨て滅菌附缸装置は、被施術者の皮膚１から発生する淤血を吸収するように、膨脹部２０において被施術者の皮膚１と向い合う方に付着したガーゼ６０をさらに含むことができる。
【００４２】
前記ガーゼ６０は、被施術者の皮膚１の傷から出る血液を吸収して衛生的に血液が処理され、ここで、使用されるガーゼ６０は滅菌処理されたものが好ましい。
【００４３】
ここで、ガーゼ６０は、膨脹部２０で前記血液を吸収するのに円滑な位置に配置されれば良いだけであり、本発明によってその位置及び付着方法に対しては限定されない。
【００４４】
結果的に、本発明は吸入器３との間接接触によって誘発され得る細菌感染を防止して、保管時に求められる体積を減らすことができる効果を有する。
【００４５】
以上のように、本発明を限定された実施例と図によって説明したが、本発明はこれによって限定されず本発明が属する技術分野で通常の知識を有した者によって本発明の技術思想と下記に記載する特許請求範囲の均等範囲内で多様な修正及び変形が可能であることはもちろんである。
【符号の説明】
【００４６】
１：被施術者の皮膚
２：附缸器
２ａ：排気ホール
３：吸入器
２０：膨脹部
４０：締結部
６０：ガーゼ
【図１】
0005271451.tif 000002
【図２】
0005271451.tif 000003
【図３】
0005271451.tif 000004
【図４】
0005271451.tif 000005
【図５】
0005271451.tif 000006
【図６】
0005271451.tif 000007